(57)【要約】【課題】本発明は、鍵による枠上の込み栓の鎖錠および解錠用装置を提供すること。【解決手段】  同装置は、鎖錠装置の回転子１６が回転可能状態に受け座１１に連結されながら、込み栓１内で回転可能状態に取付けてある柱身１７、および柱身１７内で自由回転状に取付けてある、頭部２１を有する円筒形軸１８を含むことを特徴とする。本発明は、道路分野に適用できる。【選択図】  図１
2005299383.tif 000002
【特許請求の範囲】
【請求項１】
鍵３による枠２上のふたまたは込み栓１の鎖錠および解錠用装置が、鍵３のためのアクセス用開口部４を有する込み栓１と一体の鎖錠装置を含み、
鍵３が込み栓１の開口部４に挿入してあるとき、鎖錠装置の掛け金１０が枠２の受け座１１に係留されている鎖錠状態から、掛け金１０が受け座１１から離脱して、鍵３が鎖錠装置を込み栓１の開口部４に係留される解錠状態に操作できるためのスリーブ７を端部に有する腕部６を含み、
鎖錠装置が、受け座１１に係留されている状態と離脱している状態間で、鍵３の作用で、回転子１６の縦軸を中心として掛け金１０が枢動できるように、掛け金１０に垂直に連結して掛け金１０に接続されて、開口部４からアクセスでき、込み栓１内で回転可能状態に取付けてある回転子１６も含む装置であって、
鎖錠装置の回転子１６が、回転可能状態に受け座１１に連結されながら、込み栓１内で回転可能状態に取付けてある、通常、円筒形の柱身１７、および柱身１７内で自由回転状に取付けてある円筒形軸１８を含み、
円筒形軸１８が、込み栓１の開口部４の外部からアクセスできる、込み栓１の凹部５に格納してある、柱身１７に支承される円筒形端部の頭部２１を含み、
鍵３を込み栓１の凹部５内に挿入したとき、頭部２１が鍵３のスリーブ７内に軸に沿って嵌合する、柱身１７と軸１８を込み栓１内に軸に沿って弾性的に保持するための手段を備え付けていることを特徴とする、
鍵による枠上のふたまたは込み栓の鎖錠および解錠用装置。
【請求項２】
掛け金１０が平らな硬質板からなっており、同掛け金１０が、その両端の内の一つの端部に近接して穿孔部１３を含み、同穿孔部１３内に、直径的に相対する、径方向の二つの弧状切り欠き１４、および板状掛け金１０の活動性対置自由端部１２に向けて方向付けられている、径方向の第三の弧状切り１５欠きが配設すること、
柱身１７が、込み栓１の凹部５の底部の壁面１ｂを貫通し、掛け金１０の穿孔部１３に位置し、径方向突起２０で掛け金１０の第三の切り欠き１５内に嵌合している、径方向突起２０を有する環状頭部１９を含み、自由回転状軸１８の円筒形頭部２１が柱身１７の環状頭部１９に支承されていること、
鍵３のスリーブ７が、直径的に相対する、平行な二つの外方ほぞ９を含み、枠２での込み栓１の鎖錠状態において、ほぞ９が、掛け金１０の相対する二つの切り欠き１４上にある、凹部５の側壁の直径の両端に相対する二つの溝部２９の中に、掛け金１０の相対する二つの切り欠き１４内にそれぞれ嵌合でき、
、掛け金１０を解錠状態にするために、鍵３を対応する方向に回転させることにより、掛け金１０と柱身１７および自由回転状軸１８の全体を約４分の１回転状に牽引でき、鍵３が凹部５の側壁の二つの縦方向の切り込み３０内に二つのほぞ９でそれぞれ軸方向に保持された込み栓１内に係留されることとを特徴とする、請求項１に記載の装置。
【請求項３】
鍵３のスリーブ７のほぞ９を通す各溝部２９の巾が、例えば、ねじ回しで掛け金１０の不正な操作を阻止するために、込み栓１の開口部４および溝部２９内に挿入する道具が切り欠き１４に届かないように、枠２への込み栓１の鎖錠状態で、板状掛け金１０から見下ろす切り欠き１４の巾よりも狭いことを特徴とする、請求項２に記載の装置。
【請求項４】
鍵３のスリーブ７の各ほぞ９が、倒置しているＬ字状を呈しており、同ほぞ９の短枝部９ｂがスリーブ７と径方向に連結されており、鍵３の腕部６に平行している長枝部９ａがスリーブ７の開口部を越えて突出していることを特徴とする、請求項２または３に記載の装置。
【請求項５】
板状掛け金１０および柱身１７の環状頭部１９が込み栓１の凹部５の底部の壁面１ｂの内面に支承されており、柱身１７の頭部１９を底部の壁面１ｂに、および自由回転状軸１８の円筒形頭部２１を柱身１７の頭部１９に支承状態に保持する弾性的手段が、柱身１７から突出している自由回転状軸１８の自由端部を貫通する止めピン２６で柱身１７に相対的に保持されている支承用環２５と底部の壁面１ｂの外面との間に予め圧縮されている、底部の壁面１ｂの外方に位置する、柱身１７の部分に同軸に取付けてある、例えば、ばねのような弾性部材２２４を含むことを特徴とする、請求項２から４までのいずれか一つの請求項に記載の装置。
【請求項６】
弾性部材２４が波状起伏を有するワッシャー２７を介して底部の壁面１ｂの外面に支承されており、同ワッシャー２７が、柱身１７と回転可能状態に連結されて、枠２への込み栓１の鎖錠状態または解錠状態のいずれか一つの状態に掛け金１０を位置づけるための柱身１７の回転のときに、底部の壁面１ｂを貫通する、柱身１７の通行用穿孔部１ｄを中心として規則正しく間隔を空けて外面に作成されている四つの切りノッチ２８と共働することを特徴とする、請求項５に記載の装置。
【請求項７】
柱身１７が、掛け金１０の回転のときに、波状起伏を有するワッシャー２７の平板２７ｂと共働する平板１７ａを含むことを特徴とする、請求項６に記載の装置。
【請求項８】
掛け金１０が、同掛け金１０の約４分の１回転を可能にする、スリット１ｃを貫通して、込み栓１の凹部５の側壁の外部に突出していることを特徴とする、前記のいずれか一つの請求項に記載の装置。
【発明の詳細な説明】
【技術分野】
【０００１】
本発明は、鍵による枠上のふたまたは込み栓を鎖錠および解錠するための装置に関する。
【０００２】
本発明は、例えば、車道のマンホールのような道路設備に適用できる。
【背景技術】
【０００３】
この種の鎖錠および解錠用装置は、鍵のための鎖錠装置にアクセスする開口部を有する込み栓に連結されている鎖錠装置を含むものとして知られている。この鍵は、同鍵が込み栓の開口部に挿入してあるとき、鎖錠装置の掛け金が枠の受け座に係留される鎖錠状態から、掛け金が受け座から離脱して、鍵が受け座の開口部に係留される解錠状態に操作できる、スリーブになる部分を端部に担持している腕部を含む。鎖錠装置はまた、受け座の開口部からアクセスできる、込み栓内で回転可能状態に取付けてある回転子も含んでおり、同回転子が
掛け金に垂直に、同掛け金に接続されている。鍵が枠に鎖錠状態の込み栓内に挿入されて、込み栓を枠から離脱させるために操作されるとき、回転子と掛け金からなる全体は、受け座に係留されている状態から、受け座から離脱状態へ枢動する。
【発明の開示】
【発明が解決しようとする課題】
【０００４】
込み栓の開口部を通して外部から回転子に直接アクセスできるこの既知の装置は、悪意のある者が車道のマンホール内に設置してある器材に違法に接する目的で、この鎖錠装置を操作するのに必要な道具以外の道具で操作できる欠点を有する。
【課題を解決するための手段】
【０００５】
本発明は、鍵のためのアクセス用開口部を有する込み栓と一体の鎖錠装置を含んでおり、鍵が込み栓の開口部に挿入してあるとき、鎖錠装置の掛け金が枠の受け座に係留されている鎖錠状態から、掛け金が受け座ら離脱して、鍵が鎖錠装置を込み栓の開口部に係留される解錠状態に操作できるためのスリーブになる部分を端部に有する腕部を含んでおり、鎖錠装置が、受け座に係留されている状態と離脱している状態間で、鍵の作用で、回転子の縦軸を中心として掛け金が枢動できるように、掛け金に垂直に連結して掛け金に接続されて、開口部からアクセスでき、込み栓内で回転可能状態に取付けてある回転子も含んでおり、鎖錠装置の回転子が、回転可能状態に受け座に連結されながら、込み栓内で回転可能状態に取付けてある、通常、円筒形の柱身、および柱身内で自由回転状に取付けてある円筒形軸を含む装置であって、円筒形軸が、込み栓の開口部の外部からアクセスできる、込み栓の凹部に格納してある、柱身に支承される円筒形端部の頭部を含み、鍵を込み栓の凹部内に挿入したとき、頭部が鍵のスリーブ内に軸に沿って嵌合する、柱身と軸を込み栓内に軸に沿って弾性的に保持するための手段を備えていることを特徴とする、鍵による枠上のふたまたは込み栓の鎖錠および解錠用装置を提案することにより、上記欠点を排除することを目的としている。
【０００６】
有利なことに、掛け金は、平らな硬質板からなっており、同掛け金は、その両端の内の一つの端部に近接して穿孔部を含み、同穿孔部内に、直径的に相対する、径方向の二つの弧状切り欠き、および板状掛け金の活動性対置自由端部に向けて方向付けられている、径方向の第三の弧状切り欠きが配設してあり、柱身は、込み栓の凹部の底部の壁面を貫通し、掛け金の第三の穿孔部内に嵌合する、軸方向突起を有する環状頭部を含んでおり、自由回転状に取付けてある円筒形軸の円筒形頭部が柱身の環状頭部に支承されており、鍵のスリーブは、直径的に相対する、平行な二つの外方ほぞを含んでおり、枠での込み栓の鎖錠状態において、ほぞが、掛け金の相対する二つの切り欠き上にある、凹部の側壁の直径の両端に相対する二つの溝部の中に、掛け金の相対する二の切り欠き内にそれぞれ嵌合でき、鍵は、凹部の側壁の二つの縦方向の切り込み内に二つのほぞで、それぞれ軸方向に保持された込み栓に係留され、掛け金を解錠状態にするために、鍵を対応する方向に回転させることにより、板状掛け金と柱身および円筒形軸の全体を約４分の１回転状に牽引する。
【０００７】
一実施態様により、鍵のスリーブのほぞを通す各溝部の巾は、例えば、ねじ回しで掛け金の不正な操作を阻止するために、込み栓の開口部および溝部内に挿入する道具が切り欠きに届かないように、枠への込み栓の鎖錠状態で、板状掛け金から見下ろす切り欠きの巾よりも狭い。
【０００８】
鍵のスリーブの各ほぞは、倒置しているＬ字状を呈しており、同ほぞの短枝部は、スリーブと径方向に連結されており、鍵の腕部に平行している長枝部は、スリーブの開口部を越えて突出している。
【０００９】
板状掛け金および柱身の環状頭部は、込み栓の凹部の底部の壁面の内面に支承されており、柱身の頭部を底部の壁面に、および円筒形軸の円筒形頭部を柱身の頭部に支承状態に保持する弾性的手段が、柱身から突出している自由回転状軸の自由端部を貫通する止めピンで柱身に相対的に保持されている支承用環と底部の壁面の外面との間に予め圧縮されている、底部の壁面の外方に位置する、柱身の部分に同軸に取付けてある、例えば、ばねのような弾性部材を含むことを特徴とする。
【００１０】
弾性部材が波状起伏を有するワッシャーを介して底部の壁面の外面に支承されており、同ワッシャーが、柱身と回転可能状態に連結されて、掛け金を枠への込み栓の鎖錠状態または解錠状態のいずれか一つの状態に位置づけるための柱身の回転のときに、底部の壁面を貫通する、柱身の通行用穿孔部を中心として規則正しく間隔を空けて外面に作成されている四つの切りノッチと共働する。
【００１１】
柱身は、掛け金の枢動のときに、波状起伏を有するワッシャーの平板と共働する平板を含む。
【００１２】
掛け金は、スリットを貫通して込み栓の凹部の側壁の外部に突出し、同掛け金の約４分１回転を可能にしている。
【００１３】
本発明は、本発明の一つの実施態様を例としてのみ示した添付図を参照して、以下の説明に、より明瞭に表れる、本発明のその他の目的、特性、詳細な点および利点が、より理解されやすくなるであろう。
【発明を実施するための最良の形態】
【００１４】
以下に記述する本発明の鎖錠装置は、例えば、車道のマンホールの開口部を画定する枠、台枠またはそれに類似する物体２を閉鎖することのできる、込み栓、蓋またはそれに類似する物体１を装備することを特に目的とする。
【００１５】
鎖錠装置は、鍵３で作動する。
【００１６】
込み栓１の上壁部は、一方では、込み栓１の外方に、他方では、後述する解錠装置が取付けられている凹部５に出ている、鍵３のためのアクセス用開口部１を含む。
【００１７】
鍵３は、一つの端部がスリーブ７になる部分を含み、相対する端部が、腕部６に横断方向に、この腕部６に固定してある操作用握り８を含む円筒形腕部６を含む。
【００１８】
腕部６と同軸に伸びているスリーブ７は、この場合、腕部６の端に、平らな底部の穴あけで形成されているが、この腕部の端に付け加えたスリーブからなることができる。
【００１９】
スリーブ７を含む腕部６の端は、腕部６の縦軸に平行で、直径的に相対する、腕部６に連結してある二つの外方ほぞ９を備える。各ほぞ９は、倒置しているＬ字状を呈しており、その短枝部９ａがスリーブ７の端部と径方向に連結されており、長枝部９ｂがスリーブ７の開口部を越えて突出し、鍵３の腕部６に平行して伸びている。
【００２０】
鎖錠および解錠装置は、枠２の受け座１１と共働できる掛け金１０を含む、込み栓１に連結されている鎖錠装置を含み、同受け座１１は、この場合には、込み栓１を支承できる枠２のいずれか一つのリブからなる。掛け金１０は平らな硬質板からなっており、その活動性対置自由端部１２は込み栓１を枠２に鎖錠する位置にする受け座を構成するリブ１１の下部に配置される。
【００２１】
掛け金１０は、活動性部分１２と相対する弧状端部に近接して作成されている穿孔部１３を含む。穿孔部１３内に、同一で、直径的に相対する、径方向の弧状の二つの切り欠き１４、および板状掛け金１０の活動性自由端部１２に向かって方向付けてある径方向の弧状の第三の切り欠き１５が配設してある。二つの切り欠き１４は、切り欠き１５の方向に直角な方向に従って伸びている。
【００２２】
板状掛け金１０は、切り欠き１４と１５を含む掛け金１０の端部が凹部５の底部の壁面１ｂの内面に支承され、掛け金１０の活動性端部１２が、凹部５を画定する側壁の一つの部分に配設してある、ほぼ直角のスリット１ｃを貫通して込み栓１の外部に突出して、掛け金１０が、枠２への込み栓１の鎖錠状態から、同込み栓１の解錠状態へ約４分の１回転、枢動できるように、込み栓１内に配設されている。
【００２３】
鎖錠装置は更に、掛け金１０に垂直に同掛け金１０に連結して、込み栓１内に回転可能状態に取付けてある回転子１６を含む。鍵１３は、回転子１６をその縦軸に沿った回転状態に牽引できるように、従って、掛け金１０が受け座１１に係留されている状態と、受け座１１から離脱した状態間を枢動できるように、開口部４と凹部５を貫通して回転子１６にアクセスできる。
【００２４】
回転子１６は、掛け金１０に回転可能状態に連結されている、込み栓１内に回転可能状態に取付けてある、通常、円筒形柱身１７、および柱身１７内に自由回転状に、すなわち自由に回転できるように取付けてある円筒形軸１８を含む。柱身１７は、込み栓１の凹部５の底部の壁面１ｂの穿孔部１ｄを貫通し、底部の壁面１ｂの内面に支承されながら、掛け金１０の穿孔部１３内に格納してある軸方向突起２０を有する環状頭部１９を含んでおり、突起２０は、柱身１７を掛け金１０に回転可能状態に連結するために、切り欠き１５内に嵌合してある。図２と３で、より良く表れているように、柱身１７の環状頭部１９は、板状掛け金１０の厚さよりも薄い。
【００２５】
柱身１７内に自由回転状に取付けてある円筒形軸１８は、柱身１７の環状頭部１９上で、軸１８より大きい直径の肩部２２および穿孔部１３内に格納してある円筒形受け面２３を順次介して、軸１８と同軸で連結してある、端部の頭部２１を含んでおり、肩部２２は、板状掛け金１０に支承されている。軸１８の円筒形頭部２１の直径は、鍵３のスリーブ７の内径よりも少し小さい。
【００２６】
円筒形軸１８は、柱身１７を完全に貫通し、頭部２１の反対側にあるその自由端部は、柱身１７を超えて、外部に突出している。
【００２７】
コイルばねの如き弾性部材２４は、凹部５の底部の壁面１ｂの外面と、壁面１ｂの外方に突出している柱身１７の先端部の周囲で、同軸に配設してあるワッシャー２５との間に、予め圧縮されて、取付けてあり、同ワッシャー２５は、一つの枝部が軸１８の自由端部に作成されている穿孔部を貫通している止めピン２６で柱身１７に、相対的に同軸に保持される。
【００２８】
弾性部材２４は、掛け金１０を、枠２への込み栓１の鎖錠状態または解錠状態の一方または他方の状態に保持するように、壁面１ｂ内に作成された、この場合には四つの切りノッチ２８と共働する、ところどころ軽い波状起伏を有するワッシャー２７を介して、壁面１ｂの外面に支承される。もっと正確に言えば、ワッシャー２７は、柱身１７の通過用穿孔部１ｄの両側に直径的に相対する二つの切りノッチ２８内にそれぞれ鎖錠状態と解錠状態の二つの状態の一方または他方に嵌合できる、直径的に相対する少なくとも二つの波状起伏またはボス２７ａを含む。四つの切りノッチ２８は、この場合には、穿孔部１ｄを中心として十字状に伸びている小さいスリットからなる。
【００２９】
柱身１７は、回転時にワッシャー２７を柱身１７に連結するために、ワッシャー２７の内方平板２７ｂと共働する平板１７ａを実質的に全長に亘って含んでいる。
【００３０】
ワッシャー２５、２７およびばね２４の積み重なりからなる集合体は、柱身１７を底部の壁面１ｂの内面に、環状頭部１９で弾性的かつ同軸的に保持することおよび円筒形軸１８を肩部２２と円筒形受け面２３で板状掛け金１０と頭部１９の上に支承することのできる手段になる。
【００３１】
凹部５を画定する側壁は、鍵３のスリーブ７の二つのほぞ９がそれぞれ嵌合することのできる、直径的に相対する二つの平行な内方溝部２９を含む。
【００３２】
掛け金１０が枠２への込み栓１の鎖錠状態にあるとき、二つの溝部２９は、
それぞれ掛け金１０の二つの切り欠き１４上に位置する。なお、道具で掛け金１０の回転の違法な操作を阻止するために、ねじ回しのような道具を込み栓１の開口部４内に挿入されることが出来ないように、ほぞ９を通す各溝部２９の巾は、掛け金１０から見下ろしている切り欠き１４の巾よりも狭い。事実、込み栓１の鎖錠状態で、各切り欠き１４を画定する二つの径方向の側壁は、板状掛け金１０を込み栓１の解錠方向に回転させる目的で、道具の先端が、とりわけ切り欠き１４の側壁に到達し得ないように、対応する溝部２９の側壁の両側で、図５の俯瞰図に示したように、溝部２９の出口に当たる端部の下方に位置する。場合によっては、道具が切り欠き１４の弧状壁面に届き得ないように、従って、掛け金１０を込み栓１の解錠方向に回転できないために各切り欠き１４の深さは、切り欠き１４を見下ろす溝部２９以上であり得る。
【００３３】
凹部５の側壁は更に、溝部２９の両側に、直径的に相対する、径方向の二つの縦方向の弧状切りノッチまたは切り込み３０を含む。鍵３を紛失することのないように、込み栓１が枠２から離脱しているとき、鍵３を込み栓１に係留できるように、鍵３が掛け金１０の解錠状態に回転されたとき、この二つの切り込み３０は、スリーブ７のほぞ９を同軸に保持することができる。
【００３４】
自由回転状に取付けてある円筒形軸１８の頭部２１は、込み栓１の凹部５内に突出する。
【００３５】
図２に表した込み栓１の閉鎖状態から始めると、鎖線で同図に示したように、鍵３は、ほぞ９が溝２９に嵌合し、その長枝部９ａの端部が二つの切り欠き１４内に嵌合するまで、開口部４と凹部５の間に挿入され、そのとき、軸８の頭部２１は、凹部５内へのほぞ９の浸入深さを制限するために、スリーブ７の円筒形穿孔部内に嵌合している。
【００３６】
次に、込み栓１を枠２から離脱させるために鍵３を回転させると、ほぞ９の長枝部９ａは、切り欠き１４で掛け金１０を回転状に牽引し、掛け金１０が図３、６および７に示した解錠状態に移行するために、同掛け金１０は、円筒形軸１８、円筒形柱身１７、ワッシャー２５と２７、弾性部材２４および止めピン２６の全体と共に、込み栓１が枠２から離脱可能になるように、図５で矢印Ｆ１で示した方向に、約４分の１回転する。掛け金１０が鎖錠状態から解錠状態に枢動するとき、ワッシャー２７の二つのボス２７ａは、弾性部材２４の復元力に対して、直径的に相対する別の二つの切りノッチ２８に嵌合するために、直径的に相対する二つの切りノッチ２８のそれぞれの嵌合位置から離脱する。解錠状態では、込み栓１が再び枠２に鎖錠されない限り、鍵３を込み栓１内に保持するように、ほぞ９は、径方向のその短枝部９ｂで、二つの切り込み３０内に軸に沿って係留される。各切り込み３０は、鍵３の回転を４分の１回転の角度値に限定するように、スリーブ７の対応長枝部９ａに対して止め具になる側壁部３０ａを有する。
【００３７】
枠２を閉鎖するには、込み栓１をリブ１１上に乗せて、鍵３を矢印Ｆ１と反対方向に回転させると、掛け金１０は、対応するリブ１１の下方の鎖錠状態に戻り、鍵３は、込み栓１から自由に抜き出せる。
【００３８】
込み栓１が枠２に鎖錠状態にあるとき、鍵３を所有していない、許可されていない者は、鎖錠装置を解錠できない。事実、頭部２１に、例えば、やっとこを使用して、作用させても、外部からはアクセス出来ない柱身１７内の円筒形軸１８を自由回転させるだけで、従って、掛け金１０を回転させる危険が排除される。なお、既に説明したように、掛け金１０の切り欠き１４が溝部２９を通してアクセス出来ないので、ねじ回しを溝部２９のいずれか一つの中に挿入しても受け金を回転することはできない。
【図面の簡単な説明】
【００３９】
【図１】本発明に適合した、枠上の込み栓の鎖錠および解錠装置の分解透視図である。
【図２】枠への込み栓の鎖錠状態における本発明の装置の諸要素の組立て図１におけるII−II線に従う拡大断面図である。
【図３】枠からの込み栓の解錠状態における本発明の装置を表す、図２に類似する断面図である。
【図４】図２の矢印IVに従う部分下面図である。
【図５】図２の矢印Vに従う部分上面図である。
【図６】図３の矢印VIに従う部分下面図である。
【図７】図３の矢印VIIに従う部分上面図である。
【図８】図１の鎖錠装置の回転子と掛け金を有する集合の斜視図である。
【図９】図２の矢印IXに従う斜視下面図である。
【符号の説明】
【００４０】
１・・・・・・込み栓
１ａ・・・・・上壁面
１ｂ・・・・・底部の壁面
１ｃ・・・・・スリット
１ｄ・・・・・穿孔部
２・・・・・・枠
３・・・・・・鍵
４・・・・・・開口部
５・・・・・・凹部
６・・・・・・円筒形腕部 
７・・・・・・スリーブ
８・・・・・・操作用握り
９・・・・・・外方ほぞ
９ａ・・・・・長枝部
９ｂ・・・・・短枝部
１０・・・・・掛け金
１１・・・・・受け座
１２・・・・・活動性端部
１３・・・・・穿孔部
１４・・・・・切り欠き
１５・・・・・切り欠き
１６・・・・・回転子
１７・・・・・円筒形柱身
１７ａ・・・・平板
１８・・・・・円筒形軸（自由回転状軸）
１９・・・・・環状頭部
２０・・・・・径方向突起
２１・・・・・端部の頭部
２２・・・・・肩部
２３・・・・・円筒形受け面
２４・・・・・弾性部材
２５・・・・・ワッシャー
２６・・・・・止めピン
２７・・・・・ワッシャー
２７ａ・・・・波状起伏またはボス
２７ｂ・・・・平板
２８・・・・・切りノッチ
２９・・・・・溝部
３０・・・・・切り込み
３０ａ・・・・側壁
【図１】
2005299383.tif 000003
【図２】
2005299383.tif 000004
【図３】
2005299383.tif 000005
【図４】
2005299383.tif 000006
【図５】
2005299383.tif 000007
【図６】
2005299383.tif 000008
【図７】
2005299383.tif 000009
【図８】
2005299383.tif 000010
【図９】
2005299383.tif 000011